【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
複数のブロックに分けられた撮像素子からの信号の前記ブロック毎に算出された色評価値群と予め設定した白検出範囲とにより第１の色温度情報を算出する第１の色温度情報算出手段と、
前記撮像素子からの信号の輝度情報に基づいてスミアの影響度を算出するスミア影響度算出手段と、
前記スミア影響度算出手段により算出された前記スミアの影響度に応じて第２の色温度情報を算出する第２の色温度情報算出手段と、
前記第１の色温度情報を前記第２の色温度情報で補正して前記撮像信号からの信号について色補正を行うための第３の色温度情報を算出する第３の色温度情報算出手段とを備えることを特徴とする撮像装置。
【請求項２】
前記第３の色温度情報算出手段は、前記スミア影響度算出手段により算出された前記スミアの影響度が大きいほど前記第２の色温度情報の比重が大きくなるように、前記第３の色温度情報を算出することを特徴とする請求項１記載の撮像装置。
【請求項３】
前記第２の色温度情報算出手段は、前記スミア影響度算出手段により算出された前記スミアの影響度が大きいほど前記第１の色温度情報のマゼンタ色を補正するように、前記第２の色温度情報を算出することを特徴とする請求項１記載の撮像装置。
【請求項４】
前記スミア影響度算出手段は、前記撮像素子からの信号を複数ブロックに分け輝度値を算出し、予め定めた輝度閾値以上の輝度値であるブロックの個数に基づいてスミア影響度を算出することを特徴とする請求項１記載の撮像装置。
【請求項５】
複数のブロックに分けられた撮像素子からの信号の前記ブロック毎に算出された色評価値群と予め設定した白検出範囲とにより第１の色温度情報を算出する第１の色温度情報算出手段と、
入力した画像を複数の領域に分割する分割手段と、
前記撮像素子からの信号の輝度情報に基づいてスミアの影響度を分割した画像毎に算出するスミア影響度算出手段と、
前記スミア影響度算出手段により算出された前記スミアの影響度に応じて第２の色温度情報を前記分割した画像毎に算出する第２の色温度情報算出手段と、
前記第１の色温度情報を前記第２の色温度情報で補正して前記分割した画像毎に色補正を行うための第３の色温度情報を前記分割した画像毎に算出する第３の色温度情報算出手段とを備えることを特徴とする撮像装置。
【請求項６】
前記第２の色温度情報算出手段は、入力画像の水平方向に対して前記分割した画像のブロックの中心座標からの距離に基づいて線形補間して前記第２の色温度情報を算出することを特徴とする請求項５記載の撮像装置。
【請求項７】
複数のブロックに分けられた撮像素子からの信号のブロック毎に算出された色評価値群と予め設定した白検出範囲とにより第１の色温度情報を算出する第１の色温度情報算出ステップと、
前記撮像素子からの信号の輝度情報に基づいてスミアの影響度を算出するスミア影響度算出ステップと、
前記スミア影響度算出ステップにより算出された前記スミアの影響度に応じて第２の色温度情報を算出する第２の色温度情報算出ステップと、
前記第１の色温度情報と前記第２の色温度情報とを用いて前記撮像信号からの信号について色補正を行うための第３の色温度情報を算出する第３の色温度情報算出ステップとを備えることを特徴とする撮像装置の制御方法。
【請求項８】
複数のブロックに分けられた撮像素子からの信号の前記ブロック毎に算出された色評価値群と予め設定した白検出範囲とにより第１の色温度情報を算出する第１の色温度情報算出ステップと、
入力した画像を複数の領域に分割する分割ステップと、
前記撮像素子からの信号の輝度情報に基づいてスミアの影響度を分割した画像毎に算出するスミア影響度算出ステップと、
前記スミア影響度算出ステップにより算出された前記スミアの影響度に応じて第２の色温度情報を前記分割した画像毎に算出する第２の色温度情報算出ステップと、
前記第１の色温度情報と前記第２の色温度情報とを用いて前記分割した画像毎に色補正を行うための第３の色温度情報を前記分割した画像毎に算出する第３の色温度情報算出ステップとを備えることを特徴とする撮像装置の制御方法。
【請求項９】
撮像装置の制御方法をコンピュータに実行させるプログラムにおいて、
前記撮像装置の制御方法は、
複数のブロックに分けられた撮像素子からの信号のブロック毎に算出された色評価値群と予め設定した白検出範囲とにより第１の色温度情報を算出する第１の色温度情報算出ステップと、
前記撮像素子からの信号の輝度情報に基づいてスミアの影響度を算出するスミア影響度算出ステップと、
前記スミア影響度算出ステップにより算出された前記スミアの影響度に応じて第２の色温度情報を算出する第２の色温度情報算出ステップと、
前記第１の色温度情報と前記第２の色温度情報とを用いて前記撮像信号からの信号について色補正を行うための第３の色温度情報を算出する第３の色温度情報算出ステップとを備えることを特徴とするプログラム。
【請求項１０】
撮像装置の制御方法をコンピュータに実行させるプログラムにおいて、
前記撮像装置の制御方法は、
複数のブロックに分けられた撮像素子からの信号の前記ブロック毎に算出された色評価値群と予め設定した白検出範囲とにより第１の色温度情報を算出する第１の色温度情報算出ステップと、
入力した画像を複数の領域に分割する分割ステップと、
前記撮像素子からの信号の輝度情報に基づいてスミアの影響度を分割した画像毎に算出するスミア影響度算出ステップと、
前記スミア影響度算出ステップにより算出されたスミアの影響度に応じて第２の色温度情報を前記分割した画像毎に算出する第２の色温度情報算出ステップと、
前記第１の色温度情報と前記第２の色温度情報とを用いて前記分割した画像毎に色補正を行うための第３の色温度情報を前記分割した画像毎に算出する第３の色温度情報算出ステップと備えることを特徴とするプログラム。
【手続補正２】
【補正対象書類名】明細書
【補正対象項目名】００１７
【補正方法】変更
【補正の内容】
【００１７】
上記目的を達成するために、本発明による撮像装置は、複数のブロックに分けられた撮像素子からの信号の前記ブロック毎に算出された色評価値群と予め設定した白検出範囲とにより第１の色温度情報を算出する第１の色温度情報算出手段と、前記撮像素子からの信号の輝度情報に基づいてスミアの影響度を算出するスミア影響度算出手段と、前記スミア影響度算出手段により算出された前記スミアの影響度に応じて第２の色温度情報を算出する第２の色温度情報算出手段と、前記第１の色温度情報と前記第２の色温度情報とを用いて前記撮像信号からの信号について色補正を行うための第３の色温度情報を算出する第３の色温度情報算出手段とを備えることを特徴とする。
【手続補正３】
【補正対象書類名】明細書
【補正対象項目名】００１８
【補正方法】変更
【補正の内容】
【００１８】
また、本発明による撮像装置は、複数のブロックに分けられた撮像素子からの信号の前記ブロック毎に算出された色評価値群と予め設定した白検出範囲とにより第１の色温度情報を算出する第１の色温度情報算出手段と、入力した画像を複数の領域に分割する分割手段と、前記撮像素子からの信号の輝度情報に基づいてスミアの影響度を分割した画像毎に算出するスミア影響度算出手段と、前記スミア影響度算出手段により算出された前記スミアの影響度に応じて第２の色温度情報を前記分割した画像毎に算出する第２の色温度情報算出手段と、前記第１の色温度情報と前記第２の色温度情報とを用いて前記分割した画像毎に色補正を行うための第３の色温度情報を前記分割した画像毎に算出する第３の色温度情報算出手段とを備えることを特徴とする。
【手続補正４】
【補正対象書類名】明細書
【補正対象項目名】００１９
【補正方法】変更
【補正の内容】
【００１９】
本発明による撮像装置の制御方法は、複数のブロックに分けられた撮像素子からの信号のブロック毎に算出された色評価値群と予め設定した白検出範囲とにより第１の色温度情報を算出する第１の色温度情報算出ステップと、前記撮像素子からの信号の輝度情報に基づいてスミアの影響度を算出するスミア影響度算出ステップと、前記スミア影響度算出ステップにより算出された前記スミアの影響度に応じて第２の色温度情報を算出する第２の色温度情報算出ステップと、前記第１の色温度情報と前記第２の色温度情報とを用いて前記撮像信号からの信号について色補正を行うための第３の色温度情報を算出する第３の色温度情報算出ステップとを備えることを特徴とする。
【手続補正５】
【補正対象書類名】明細書
【補正対象項目名】００２０
【補正方法】変更
【補正の内容】
【００２０】
また、本発明による撮像装置の制御方法は、複数のブロックに分けられた撮像素子からの信号の前記ブロック毎に算出された色評価値群と予め設定した白検出範囲とにより第１の色温度情報を算出する第１の色温度情報算出ステップと、入力した画像を複数の領域に分割する分割ステップと、前記撮像素子からの信号の輝度情報に基づいてスミアの影響度を分割した画像毎に算出するスミア影響度算出ステップと、前記スミア影響度算出ステップにより算出された前記スミアの影響度に応じて第２の色温度情報を前記分割した画像毎に算出する第２の色温度情報算出ステップと、前記第１の色温度情報と前記第２の色温度情報とを用いて前記分割した画像毎に色補正を行うための第３の色温度情報を前記分割した画像毎に算出する第３の色温度情報算出ステップとを備えることを特徴とする。
【手続補正６】
【補正対象書類名】明細書
【補正対象項目名】００２１
【補正方法】変更
【補正の内容】
【００２１】
本発明によるプログラムは、撮像装置の制御方法をコンピュータに実行させるプログラムにおいて、前記撮像装置の制御方法が、複数のブロックに分けられた撮像素子からの信号のブロック毎に算出された色評価値群と予め設定した白検出範囲とにより第１の色温度情報を算出する第１の色温度情報算出ステップと、前記撮像素子からの信号の輝度情報に基づいてスミアの影響度を算出するスミア影響度算出ステップと、前記スミア影響度算出ステップにより算出された前記スミアの影響度に応じて第２の色温度情報を算出する第２の色温度情報算出ステップと、前記第１の色温度情報と前記第２の色温度情報とを用いて前記撮像信号からの信号について色補正を行うための第３の色温度情報を算出する第３の色温度情報算出ステップとを備えることを特徴とする。
【手続補正７】
【補正対象書類名】明細書
【補正対象項目名】００２２
【補正方法】変更
【補正の内容】
【００２２】
また、本発明によるプログラムは、撮像装置の制御方法をコンピュータに実行させるプログラムにおいて、前記撮像装置の制御方法が、複数のブロックに分けられた撮像素子からの信号の前記ブロック毎に算出された色評価値群と予め設定した白検出範囲とにより第１の色温度情報を算出する第１の色温度情報算出ステップと、入力した画像を複数の領域に分割する分割ステップと、前記撮像素子からの信号の輝度情報に基づいてスミアの影響度を分割した画像毎に算出するスミア影響度算出ステップと、前記スミア影響度算出ステップにより算出されたスミアの影響度に応じて第２の色温度情報を前記分割した画像毎に算出する第２の色温度情報算出ステップと、前記第１の色温度情報と前記第２の色温度情報とを用いて前記分割した画像毎に色補正を行うための第３の色温度情報を前記分割した画像毎に算出する第３の色温度情報算出ステップとを備えることを特徴とする。
【手続補正８】
【補正対象書類名】明細書
【補正対象項目名】００６８
【補正方法】変更
【補正の内容】
【００６８】
そして、ＭＰＵ１４は、複数のブロックに分けられた撮像素子４からの信号のブロック毎に算出された色評価値群と予め設定した白検出範囲より第１の色温度情報を算出する。また、スミアの影響度を算出する。また、スミア影響度算出手段としての機能により決定される第２の色温度情報を算出する（つまり、スミア影響度算出手段としての機能により算出したスミア影響度に応じて第２の色温度情報を算出する）。さらに、第１の色温度情報と前記第２の色温度情報とを用いて第３の色温度情報を算出する。